(57)【要約】 【課題】本発明は、水処理装置、より詳しくは磁気を利用した水処理装置に関し、磁気処理効果を最大限発揮する構造を有し、かつ、容易に組み立てることができる構造であるため、製造コストが低く、配水管のいかなる位置にも設置することが可能な磁気活水器の提供を目的とするものである。【解決手段】本発明は、両端に配水管との接続部２ｂを有する外筒１と、中心材５に内磁石６ａを挿入し、その左右に内磁石６ａより外径の大きい磁性体６ｂ、６ｃを配置し、更に左右キャップ７、８により内磁石を固定してなる中心体４と、外筒２の内部に内磁石６ａと対向する位置に内磁石６ａと異極になるよう外磁石１０ａと、その左右に磁性体１０ｂ、１０ｃを配置し、更に左右磁性体１０ｂ、１０ｃの外側にスペーサー１２、１３を配置してなる内筒９と、前記中心体４及び内筒９を固定する左右の押さえ１４、１５からなることを特徴とする磁気活水器の構成とした。【選択図】  図２
2006192394.tif 000002
【特許請求の範囲】
【請求項１】
両端に配水管との接続部を有する外筒と、該外筒の内部に中心材に内磁石を挿入し、前記内磁石の左右に磁性体を挿入した内磁石部、及び内磁石部を中心材に固定させるための左右キャップとからなる中心体と、内磁石と通水路を挟み対向する位置に内磁石と異極になるよう外磁石を配置し、その左右に磁性体を配置した外磁石部、及び該外磁石部の左右に外磁石部を内磁石部と対向する位置に固定させるためのスペーサーを配してなる内筒と、前記中心体及び内筒からなる磁気処理部を外筒内の所定の位置に固定する左右の押さえからなることを特徴とする磁気活水器。
【発明の詳細な説明】
【技術分野】
【０００１】
本発明は、磁気を利用する水処理処理装置に関する発明である。
【背景技術】
【０００２】
水の水質を改善させる水処理方法として、水に磁気を作用させる方法が知られている。この磁気を作用させた水のことを一般に磁気処理水、磁気水（以下、磁気処理水という。）という。この磁気処理水は、配水管内に付着した炭酸カルシウム等の結晶（スケール）を除去する作用を有していることが知られている。また、赤さび（二価の酸化鉄）の除去、マグネタイト（四三酸化鉄）の形成による配管腐食防止効果を有していることも知られている。磁気処理水を作る装置のことを磁気水処理装置、磁力線処理装置等という。なお、本発に係る磁気活水器とは、前記、磁気処理水を作る装置のことである。
【０００３】
さらに、磁気処理水そのものを飲むと美味しいことや、磁気処理水を米飯の炊き水として利用するとふっくら美味しく炊けることもよく知られている。これらの現象は水分子クラスターの変化によって説明される。通常、水はクラスターと呼ばれる一定の水分子の集まりとして存在している。しかし、水に磁気を作用させると、前記クラスターはより小さなクラスターに分割される。その結果、水の浸透圧が高まり、上記効果を発揮するといわれている。
【０００４】
米飯が美味しく炊ける理由は、米を洗米した後に磁気処理水に浸けて置くと、通常の水を使用するときより、より短時間で充分の水が米に浸透するためと考えられている。また、磁気処理水の浸透圧が増すことで、細菌に対しても致死的に作用することも知られている。
【０００５】
上記磁気処理水を作るために、これまで多くの磁気水処理装置が提案されている。特許文献１記載の磁気水処理装置は、水道管、高架水槽等を通水する被処理水の給水管の外側にＮ極とＳ極が互いに対応するように永久磁石を配置し、被処理水に対して磁力線を直角に作用させることを特徴とする装置である。単に給水管を挟み込む構造であるため、種々の給水管に容易に装着することができる点、優れている。
【特許文献１】特開平２−１３１１８６号公報
【０００６】
しかし、一般に家庭、工場で使用されている給水管は、鉄性の磁性体で作られていることから、前記磁気水処理装置を磁性体の給水管に使用した場合、充分磁気処理効果を発揮することができない。磁性体である給水管と磁力線が相互作用をお越し、磁力線が被処理水に対して直角に作用しなくなるためである。
【０００７】
特許文献２記載の磁気処理装置において、被処理水の給水管を非磁性体のパイプとすることで、上記の磁性体配管と磁力線の相互作用による磁力線の分散を防止し、磁力線が通水に対して直角に作用させることを特徴とする装置である。
【特許文献２】特開平９−３０８８８８号公報
【０００８】
しかしながら、依然、磁石と被処理水との距離は遠く、磁石が有する本来の磁気処理効果が得られないのが現状である。磁気処理効果は磁力線密度により定まり、磁力線密度が高いほど高い磁気処理効果が得られる。磁力線密度は磁石間の距離が離れるほど距離の２乗に反比例して低下する。従って、磁石間の距離が遠くなれば磁気処理効果も低くなる。内径２０ｍｍ程度の一般家庭用配水管であえば、ある程度の磁気処理効果は得られるものの、内径５０ｍｍ以上のマンション用元配水管、工場用水の配水管に、配水管を挟み込む状態で磁石を作用させても、たとえ配水管が非磁性体であったとしても、ほとんど磁気処理効果を得ることはできない。
【０００９】
特許文献３記載の磁気水処理装置は、被処理水と磁石が直接接触する構造を有するため、従来問題とされていた磁石と被処理水との距離を近づけることとができ、磁気処理効率を従来よりも向上させることが可能になった。
【特許文献３】特開平１０−１６５９５８号公報
【発明の開示】
【発明が解決しようとする課題】
【００１０】
しかしながら、多数の磁石を複雑に組み合わせる構造であり、かつ磁石間の距離が近接しているため、磁石間で磁力線が複雑に相互作用を起こし、被処理水の通水方向に対して直角に磁力線を作用させることができず、本来磁石が有している磁気処理効率を依然十分発揮させることはできない。また、上記装置構造は複雑であるため、製造には煩雑さが伴い、製造コストは高く、結果販売価格を高くせざるを得ない状況にある。
【００１１】
そこで、本発明は、製造時に煩雑さを伴わない、容易に組み立てることができる構造を有し、かつ、磁気処理効果を十分発揮させることができる磁気活水器を提供することを目的とするものである。
【課題を解決するための手段】
【００１２】
本発明は、上記の課題を解決するために、両端に配水管との接続部を有する外筒と、該外筒の内部に中心材に内磁石を挿入し、前記内磁石の左右に磁性体を挿入した内磁石部、及び内磁石部を中心材に固定させるための左右キャップとからなる中心体と、内磁石と通水路を挟み対向する位置に内磁石と異極になるよう外磁石を配置し、その左右に磁性体を配置した外磁石部、及び該外磁石部の左右に外磁石部を内磁石部と対向する位置に固定させるためのスペーサーを配してなる内筒と、前記中心体及び内筒からなる磁気処理部を外筒内の所定の位置に固定する左右の押さえからなる構成とした。
【発明の効果】
【００１３】
本発明に係る磁気水処理装置は、容易に組み立てることができる構造であるから、製造時に煩雑な作業を伴わない。その結果、製造コストを低減でき、市場に安価で磁気活水器を提供することができることとなった。
【００１４】
さらに、被処理水に磁力線を高密度で作用することができる構造であるから、本来の磁石が有する磁気処理効果を十分発揮させることができる。その結果、従来の磁気処理装置に比べ、配水管内部のマグネタイトの発生速度は極端に速く、内径５０ｍｍ以上の配水管でも十分磁気処理効果が得られ、防錆効果によって配水管の寿命を延長させることができることとなった。１００ｍｍの配水管に本発明の磁気活水器を接続した場合と従来の挟み込み式磁気処理水装置を取り付けた場合において、同等の磁力密度を有する磁石を使用したとき、一定量の被処理水に対して磁力密度は、約１０００倍の差が生じる。
【００１５】
加えて、本発明に係る磁気活水器の配水管への接続は、既存の配水管に簡易に接続できる構造を有していることから、配水管を切断し、本発明に係る磁気活水器を接続するだけの作業でよい。また、本発明に係る磁気活水器を配水管に取り付け後は、本発明の特徴的な構造をよりメンテナンスは必要なく、当然外部からのエネルギー供給も必要ない。従って、一般家庭用の１３〜２０ｍｍ程度の口径の配水管からマンション、ビル、工場施設等で使用される５０ｍｍ以上の大口径の配水管まで、例えば、飲料用の給水管、給湯管等の配水管・工場で使用されている冷却水配管、洗浄水用配管、配水管、排水管・農業用・畜産・酪農で使用されている配水管・排水管等あらゆる配水管径、形状に取り付けることができることとなった。
【００１６】
従って、本発明に係る磁気活水器によって、より低コストで磁気処理効果を充分発揮する磁気活水器を、設置場所に制限されることなく導入することが可能となり、磁気処理水を飲料等の家庭用水・冷却水、洗浄水等の工業用水・農業、畜産・酪農用水等のあらゆる用途に容易に利用することができることとなった。
【発明を実施するための最良の形態】
【００１７】
両端に配水管との接続部を有する外筒と、該外筒の内部に中心材に内磁石を挿入し、前記内磁石の左右に磁性体を挿入した内磁石部、及び内磁石部を中心材に固定させるための左右キャップとからなる中心体と、内磁石と通水路を挟み対向する位置に内磁石と異極になるよう外磁石を配置し、その左右に磁性体を配置した外磁石部、及び該外磁石部の左右に外磁石部を内磁石部と対向する位置に固定させるためのスペーサーを配してなる内筒と、前記中心体及び内筒からなる磁気処理部を外筒内の所定の位置に固定する左右の押さえからなる構成とすることで実現した。
【実施例１】
【００１８】
以下に、添付図面に基づいて、本発明である磁気活水器について、詳細に説明する。図１は、本発明である磁気活水器の実施形態の１例を示す斜視図である。なお、一点破線Ａ−Ａは、後述する図２の切断位置を示す。
【００１９】
磁気活水器１は、両端に左右の配水管１６、１７に接続するための接続部２ｂを有し、内部に磁気処理部３の収納部２ａを有する外筒２と、前記内部の磁気処理部３を外筒内の内部の所定位置に固定する左右の押さえ１４、１５とからなる。さらに、左右の配水管１６、１７を磁気活水器１に接続すると完全に内部磁気処理部３が外筒２の内部の所定位置に固定されることとなる。
【００２０】
外筒２の形状は、被処理水量に応じて外筒２、内部の磁気処理部３の構成比を保持しながら適宜大きさを変更することができる。従って、多流量の被処理水、大口径の配水管にも対応することができる。なお、本発明に係る磁気活水器の形状は筒状であればよく、勿論円筒形に限定されるものではない。内部の磁気処部３が外筒２の内壁と密着する構造であればよい。
【００２１】
外筒
外筒２の素材には、一般に配水管に使用される素材を用いることができる。特に、土中、キッチン、風呂場周りなど湿気が多く、金属が腐食されやすい環境に本発明に係る磁気活水器１を装着する場合は、外筒素材としてＳＵＳ材を用いることが望ましい。
【００２２】
また、本発明に係る磁気活水器１と左右の配水管１６、１７の接続は、左右の配水管１６、１７の切断部の一部を凸形状１７ａとし、磁気活水器１の両端の接続部２ｂに組み込こむこととした。これにより、外筒２の配水管との接着面２ｃと左右の配水管の磁気活水器１との接着面１７ａとが接触し、左右の配水管１６、１７の凸形状１７ａの一部である平面部で左右の押さえ１４、１５を磁気活水器１の内部に押し込み、磁気処理部３を外筒内部の所定の位置に固定することができる。最後に、磁気処理器１と配水管１６、１７との接続部を溶接により密閉接着することで本発明に係る磁気活水器１と配水管を接続することができる。
【００２３】
外筒２の左右の配水管１６、１７との接続部２ｂは、配水管に本発明に係る磁気活水器１を連結装着した場合の接続部の強度を維持し、被処理水の漏れだしを防止するために、配水管に対して外側または内側に突出した形状をとることが望ましい。また、噛み合わせ部にゴム製のＯリングなどを使用し補強することもできる。
【００２４】
磁気活水器１と左右の配水管１６、１７を接続し、密閉装着する具体例としては、一般に水周りの使用に耐えるシール材で接着させる方法、配水管と磁気活水器の両端にネジ山構造を持たせてねじ込む方法、または、溶接等またはそれら組合せが考えられる。被処理水が、水圧によって磁気活水器１と配水管１６、１７との接続部から漏れださない密閉構造をとることができればいずれの方法で連結装着してもよい。
【００２５】
また、磁気活水器１と配水管１６、１７の外径が大きく異なり上記方法を採用できない場合、更に、磁気活水器１と左右の配水管１６、１７との接続部の強度を高めたい場合は、後述する配水管と磁気活水器とを接続するためのアダプターを利用することで、本磁気活水器１を容易に配水管に連結装着することができる。
【００２６】
図２は、本発明である図１の磁気活水器１のＡ−Ａ断面図である。以下、本発明に係る磁気活水器１の内部構造、及び各部材の配置を詳細に説明する。磁気活水器１の内部構造は、中心体４と内筒９とからなる磁気処理部３、及び左右押さえ１４、１５よりなる。
【００２７】
中心体４は、中心材５と、内磁石部６と、左右のキャップ７、８からなり、外筒２の中央に配置される。該内磁石部６は中心材５の外側にリング状の内磁石６ａ、前記内磁石６ａの両側にリング状の左右磁性体６ｂ、６ｃが挿入されてなる。前記左右キャップ７、８は、内磁石部６を所定の位置に保持するため、前記左右磁性体６ｂ、６ｃの両外側から中心材５に挿入される。
【００２８】
中心材５の形状は、円筒形であり、内磁石部６を構成する、リング状の内磁石６ａ、左右磁性体６ｂ、６ｃの中心孔と同一の直径である。中心材５の長さは、外筒２の内部に中心体５を収納するために、左右のキャップ７、８の中心材挿入部７ｂ、８ｂから左右の押さえ面までの厚み８ｃとを合わせた長さが、外筒２の左右押さえ１４、１５を固定する位置であるストッパー面２ｅ間の長さすなわち、磁気処理部収納部の長さ２ｆの範囲に収まることを要する。
【００２９】
なお、実施例１の中心材５の内部は中空であるが、中空であるか否かは本発明の効果に影響はない。また、中心材５は円筒形であるが、外筒を円形配水管に接続する都合上、円筒形を採用しているにすぎない。本発明に係る磁気活水器１の形状は特に円筒形に限った形状である必要はなく、磁気活水器１が接続される配水管の形状にあわせて自由に形状を選択することができる。この場合は外筒２、内外磁石部６、７等の磁気処理部３の形状を適宜変更することが必要であるが、当該変更によっても本発明に係る磁気活水器の効果に影響を与えることはない。
【００３０】
中心材５の素材は磁力線を非処理水に対して有効に作用させるため塩化ビニル、セラミック等の非磁性体であることが望ましい。仮に、中心材５の素材を磁性体とすると、磁力線が磁性体の中心材との間の相互作用で分散し、高密度の磁力線が非処理水の流水方向に対して直角に作用しなくなるため好ましくない。
【００３１】
中心材５に挿入される内磁石部６は、内磁石６ａと、内磁石の両側に左右の磁性体６ｂ、６ｃを配置してなる。
【００３２】
内磁石部６を構成するリング状の内磁石６ａは、中心材５の直径と同一の直径の中心孔を有し、中心材５に挿入される。また、内磁石６の直径は、内磁石６の両側に配置される左右の磁性体の直径より小さいことを特徴とする。より具体的形状については、図１６（ａ）に示す。ここで、本発明に使用される磁石の素材は、ネオジュウム系等の永久磁石で通常使用されている磁石の素材と同じものでよい。
【００３３】
内磁石部６を構成するリング状の左右の磁性体６ｂ、６ｃは、中心材５の直径と同一の直径の中心孔を有し、中心材５に挿入される。また、左右の磁性体の直径は、内磁石６の直径より、大きいことを特徴とする。左右の磁性体６ｂ、６ｃが内磁石６ａより通水路１８側に突出した構造とすることが、後述の図３に示すように本発明の磁気処理効果において重要である。より具体的形状については、図１６（ｂ）に示す。ここで、本発明に使用される磁性体の素材は、水中での腐食、水圧に耐える素材であればよい。
【００３４】
左右のキャップ７、８は、中心材５の外径と同一径の穴である中心材５の挿入部８ｂと、左右の押さえと連結する突起７ａ、８ａと、左右の押さえと接触する部分７ｄ、８ｄを有する。左右のキャップ７、８を内磁石部６が挿入された中心材５の両端に挿入し、内磁石部６を所定の位置に固定させる。このようにしてできた中心体５は左右のキャップ７、８の突起７ａ、８ａと連結した左右の押さえ１４、１５によって外筒２の内部の所定位置に固定されることとなる。
【００３５】
中心材５と左右キャップ７、８とを接着剤等により強力に接着することは特に必要ではないが、中空の中心材５を用いた場合は、水圧によって被処理水が中心材５の内部にしみ込むことがあるため、一般に使用されている耐水性の接着材を用いてシールすることが望ましい。また、ゴム等により作られるＯリングを使用してシールしてもよい。
【００３６】
内筒３は、外磁石部１０と外磁石部１０を内磁石部６の対向する位置に固定するための筒状の左右スペーサー１２、１３とからなり、外筒２の内壁面に接触した状態で配置される。外磁石部１０は、リング状の外磁石１０ａと外磁石１０ａの両側にリング状の左右磁性体１０ｂ、１０ｃが積層されてなる。
【００３７】
外磁石部１０を構成するリング状の外磁石１０ａは、外周部の直径を外筒２の内部径と同一とし、外周部を外筒２の内壁に接触させることにより、内磁石との一定の距離が保持された状態で固定させる。また、外磁石１０ａの中心孔は、内磁石６ａの外径より直径が大きいく、該中心孔内に中心体４に固定された内磁石６ａが一定の距離を保って対峙する。
【００３８】
外磁石部１０を構成するリング状の左右磁性体１０ｂ、１０ｃは、外磁石１０ａと同一の外径であるから外磁石１０ａと同様に外筒２の内壁に接触した状態で固定される。また、磁性体１０ｂ、１０ｃは、外磁石１０ａが有する中心孔より小さい中心孔を有することを特徴とする。すなわち、磁性体１０ｂ、１０ｃが外磁石１０ａより通水路側１８に突出した構造をとることとなる。これは、後述するように本発明の磁気処理効果において重要なことである。
【００３９】
塩化ビニルによりなる筒状の左右スペーサー１２、１３は、外磁石部１０を内磁石部６と対向する位置に配置するために用いられる。外磁性部１０を構成する外磁石１０ａと１０ｂ、１０ｃと同様に、外周部の直径を外筒２の内部径と同一とし、外周部を外筒２の内壁に接触させることにより、外磁石部１０を内磁石部６と対向する位置に固定することができる。次に説明する左右の押さえにより外筒２の内部に外磁石を固定することから、外左右のスペーサーの長さは、外磁石部１０の長さと外筒２の長さによって定まる。
【００４０】
左右の押さえ７ａ、８ａは、左右のキャップ７、８の突起７ａ、８ａを挿入することができる形状をした孔１４ａ、１５ａを有する。該孔１４ａ、１５ａと前記突起７ａ、８ｂが連結され、外筒２の内部の左右押さえを固定するストッパー面によって、中心体４と内筒９を外筒２の内部の所定位置に固定する。その結果、内磁石６ａと対向した外磁石１０ａとが、極性が異極となるように外筒２の内部に固定される。内磁石部３を外筒２の内部で後述の外磁石部１０と対向する所定の位置に固定するために用いられる。さらに、後述の左右押さえ１４、１５と連結して、本発明に係る磁気活水器が配水管１６、１７に連結装着された時、外筒２の内部の磁気処理部３全体が固定され、同時に中心体４も本発明に係る磁気活水器１の外筒２の中央に固定することができる。
【００４１】
なお、前記左右のキャップ７、８、左右の押さえ１４，１５の形状は、水中での腐食、水圧に耐えることができるものであれば、実施例１で示した形状に限定されるものではなく、例えば、後述の図１０、１１に示した形状等でもよい。また、その素材は上述の中心材５と同様、塩化ビニル、セラミック等の非磁性体であることが望ましい。左右のスペーサー１２、１３の素材も同様である。
【００４２】
矢印Ｅは本発明に係る磁気活水器１を左右の配水管１６１７に接続装着して使用したときの被処理水の通水方向を示している。記号Ｎ、Ｓは内磁石部６及び外磁石部１０の極性であるＮ極、Ｓ極を意味する。
【００４３】
図３は、磁力線が被処理水に対して作用する様子を模した図であり、図２の磁気処理部の一部である磁気活性部１１の拡大図である。なお、記号Ｅ、Ｓ、Ｎは図２の説明で使用した意味と同一であり、矢印Ｆは、内磁石６ａ及び外磁石１０ａの両側に配置された左右の磁性体６ｂ、６ｃ、及び１０ｂ、１０ｃの先端間に集中している磁力線と、その磁力線の方向を表している。
【００４４】
本発明に係る磁気活水器は、上述の構成であるから、磁石部１１ａが形成される。磁石部１１ａは、内磁石６ａとその両側に左右の磁性体６ｂ、６ｃが配置された内磁石部６と前記内磁石部６と対向する位置に外磁石１０ａとその両側に左右の磁性体１０ｂ、１０ｃが配置された外磁石部１０とからなる。これら内磁石部６と外磁石部１０よりなる磁石部１１ａは、内磁石部は左右のキャップ７、８によって、外磁石部は、左右のスペーサーによって、それぞれい所定の位置に固定され、最終的に、配水管との接続のとき、左右の配水管、及び左右の押さえによって対向する位置に固定される。このように形成された内外の左右磁性体６ｂ、６ｃ、１０ｂ、１０ｄスキマを被処理水が通過するとき最も磁気処理効果を受ける。
【００４５】
磁力線は通水路１８に突出した内外の左右磁性体の先端６ｄ、１０ｄに特に集中する。従って磁力線は被処理水の通水方向Ｅに対して直角に作用することができ、磁力処理効果を充分得ることができることとなる。
【００４６】
従って、内磁石６ａの両側に配置された左右磁性体６ｂ、６ｃと外磁石６ｂの両側に配置された左右磁性体１０ｂ、１０ｃとの距離は極力狭くすることが、磁気処理効果を充分得るために望ましい。一方、前記距離を狭くしすぎると、磁気活性器１の内部水圧が高まり、磁気活水器１と配水管の接続部から被処理水が漏れだすことや、押さえ１４、１５の変形、破損が起きる。
【００４７】
従って、例えば、家庭用の飲料水配水管（２０ｍｍ）に本発明に係る磁気活水器を接続装着する場合においては、内磁石部６を構成する磁性体６ｂ、６ｃの先端６ｄから外磁石部１０を構成する磁性体１０ｂ、１０ｃの先端１０ｄまでの距離は、望ましくは４ｍｍ〜８ｍｍ、さらに望ましくは４ｍｍから６ｍｍであるとき、効率的な磁気処理効果が得られる。ここでの磁気処理効果の評価は、配水管内に形成させる黒錆び（マグネタイト）の形成状況即ち、黒錆びの有無、及び形成されるまでの経過時間で判断される。
【００４８】
磁気処理効果を挙げるためには第１に磁力密度の高い磁石を利用することであり、第２に被処理水の流速を早くすることといわれている。内磁石部６及び外磁石部７の磁性体先端間の間隔を前記間隔のように狭くすることは、磁力密度を上げる方法により、磁気処理効果を上げることを意味する。
【実施例２】
【００４９】
図４は、本発明である磁気活水器の実施形態の１例を表す斜視図である。なお、一点破線Ｃは後述の図５の断面位置、及び破線矢印Ｄについては後述の図９の断面位置を示している。
【００５０】
磁気活水器２１は、内部構造を覆う外筒２２の両端に左右の配水管４４、４５と接続するための左右のアダプター４２、４３を組み込むことで、左右の配水管４４、４５との接続部の強度が増す。また、磁気活水器１は外筒２２の溶接面２２ａと外筒より少し突出した左右のアダプター４２、４３の側面とを溶接することにより一体化し、内部の磁気処理部２３を固定する。このような溶接を採用することで、より外筒２２と左右のアダプター４２、４５との溶接部２２ｆの強度が増し、大容量の被処理水を通水したときに生じる磁気活水器２１の内部に生じた高い水圧に対応することができる。
【００５１】
本発明に係る磁気活水器２１は、左右のアダプター４２、４３の内部にネジ山２２ｂをもつ。一方、接続される左右の配水管４４、４５にもネジ山４４ａを施し、磁気活水器２１を左右の配水管４４、４５にねじ込む方法で連結させる。このとき、左右のアダプター４２、４３に平面部４２ａ、４３ａがあるため、レンチ等により容易に磁気活水器２１を配水管にねじ込み連結することができる。
【００５２】
このとき、磁気活水器２１と左右の配水管４４、４５との接続部に接着剤を塗布し、又はシーリングテープ用いて連結部の密封性を高めることもできる。さらに磁気活水器２１の内部構造は、配水管に接続された後においても、メンテナンスが不要であるから磁気活水器２１と左右の配水管４４、４５との連結部は溶接してもよい。これにより、さらに磁気活水器２１の内部に生じる水圧に対する機密性が高まる。
【００５３】
なお、本発明に係る磁気活水器２１と左右の配水管４４、４５との接続方法は当然、図４に示した実施例２に限定されるものではなく、左右のアダプター４２、４３の外筒２２から突出している部分を、接続される配水管の形状に対応した形状に変更することができる。例えば、図４に示した左右のアダプターの突出した部分に配水管にねじ込むことのできるネジ山を付加すること、或いは、フランジ形式の接続構造を付加すること等、公知の接続技術で本発明に係る磁気活水器２１を配水管の形状に対応して接続することができるのは勿論である。
【００５４】
左右のアダプター４２、４３と内部構造を収納した外筒２２とを予め溶接連結してなる実施例２の磁気活水器２１は、実施例１の磁気活水器１に比べ、磁気活水器と配水管との接続部の強度を高める効果の他に、予め水圧抵抗試験を行い事前に水漏れを確認することが可能であるから、磁気活水器２１の品質の安定性を高める効果がる。また、磁気活水器２１を装着する場所で組み立てる必要がないことから、装着作業が容易になる効果もある。      
【００５５】
なお、本発明に係る磁気活水器２１の外径と、接続される配水管の外径とが同一径でない場合であっても、左右のアダプター４２、４３の構造を適時変更することで、磁気活水器２１と配水管を容易に連結接続することができる。  
【００５６】
図５は、外筒２２と左右のアダプター４２、４３の透視斜視図である。外筒２２は、両端に左右のアダプター４３、４４と溶接される接続面２２ａと、後述の磁気処理部２３の収納部２２ｂと、左右のアダプター４３、４４の組み込み部２２ｃと、後述の左右の押さえ４０、４１を固定するストッパー面２２ｄを円筒形の内部に有する。なお、外筒２２の磁気処理部２３を収納する通水方向における全長である収納部の長さ２２ｅは、外筒２２の内部に固定される中心体４及び内筒９の積層方向における長さと同一である。
【００５７】
外筒の形状、素材は、実施例１に記載された外筒２と同様に、円筒形に限定されるものでなく、ＳＵＳ材を用いることが望ましい。
【００５８】
左右のアダプター４２、４３は、通水路４６にあたる通水路孔及び通水用のスペース４３ｂと、内部磁気処理部２３を左右の押さえ４０、４１を介して外筒２２の内部に固定するため左右の押さえ４０、４１と接触する押さえ面４３ｃと、配水管と接触する接続面４２ｃと、外筒２２の内部に挿入される組み込み部４２ｅと、外筒２２と溶接により一体化させるための溶接部４２ｄを有する。さらに、外筒と溶接により、一体化した磁気活水器２１を配水管に連結するため通水路孔の壁面にネジ山を設け、また、外筒２２に組み込まれない部分に、配水管と連結するための作業工具を使用し易いよう平面部４２ａを設けた。
【００５９】
左右のアダプター４２、４３のび素材は、実施例1に記載された中心材５、キャップ７、８スペーさー１２、１３と同様の理由から、塩化ビニル、セラミックなどの非磁性体であること望ましい。
【００６０】
なお、外筒２２と左右のアダプターとの接続は、溶接による方法が最も有効であるが、非処理水の流量、水圧との関係において、市販の接着材によるシール、ネジ山構造によるねじ込み方法も採用できる。
【００６１】
図６は、本発明に係る磁気活水器２１における図４に示した一点破線Ｂ−Ｂの位置での断面図ある。本発明に係る磁気活水器２１が外筒２２、中心体２４、内筒３３、左右の押さえ４０、４１、左右のアダプター４２、４３よりなることを示している。
【００６２】
なお、破線矢印Ｅは本発明に係る磁気活水器２１を配水管に連結接続して通水した時の被処理水の通水路における流水方向を示している。実線矢印Ｅは、特に被処理水が最も磁気処理を受ける位置の流水方向を表している。また、記号Ｓ、Ｎはそれぞれ磁石の極性のＳ極、Ｎ極を意味する。当該中心体２４、内筒３３等の各構成部材についての詳細は後述する。さらに、一点破線矢印Ｃは後述する図１０の断面図位置である。
【００６３】
実施例２の磁気活水器２１においては、実施例１の磁気活水器１で用いた内磁石部６，と外磁石部７の組合せである磁石部１１ａを２組使用している。左右の内磁石部２６、２７及び左右の外磁石部２３４、３５であるが、これについても後述する。被処理水の流量が多量である場合、充分磁気処理効果を得るために特に有効である。
【００６４】
外筒２２の内部壁面に内筒３３が接触し、さらに外筒２２の中心部に中心体２４が左右の押さえ４０、４１及び、左右のアダプター４２、４３によって外筒２２の内部にあるストッパー面２２ｄまで押し込まれることによって、左右の内磁石部３４、３５と左右の外磁石部３４、３５が磁石の極が異極となるよう直線矢印Ｅで示された通水路を挟み対峙して固定される。
【００６５】
外筒２２と左右のアダプター４２、４３とは、溶接部２２ｆの位置で溶接して一体化される。図４において、通水孔内壁のネジ山２２ｂを省略したが、・・・
【００６６】
図７は、中心体２４の斜視図である。中心体２４は、点線で示した中心材２５に左右の内磁石部２６、２７の間に左右の内磁石部２６、２７の間隔を一定に確保するための筒状の中央スペーサー２８が挿入され、該スペーサー２８の両側に左内磁石部２６の外磁性体２６ｃと右内磁石部２７の内磁性体２７ｂを挿入し、続いて、順次、左内磁石２６ａと右内磁石２７ａ、左内磁石部の外磁性体２６ｂと右内磁石部２７の外磁性体２７ｃ、筒状の左右のスペーサー２９、３０を挿入し、最後に、中心材２５の両端から左右のキャップ３１、３２を挿入してなる。このとき、中心材２５と中心材２５の挿入部３１ｂとを接着剤によってシールしてもよい。なお、記号Ｎ、Ｓは左右の内磁石部２６、２７を構成する左右の内磁石２６ａ、２７ａの極性であるＮ極、Ｓ極を意味する。  
【００６７】
なお、左右の内磁石２６ａ、２７ａ、左内磁石部２６の内外磁性体２６ｃ、２６ｂ、右磁石部２７の内外磁性体２７ｂ、２７ｃ、左右のキャップ３１、３２の形状・素材は実施例１で記載した内容と同様である。中央のスペーサー２８、左右のスペーサー２９、３０の素材についても同様である。
【００６８】
中央のスペーサー２８及び左右のスペーサー２９、３０の長さ以外の形状は特に実施例１に記載された内容で変わるところがない。中央のスペーサー２８の長さは、左右の内磁石２６ａ、２７ａの間で磁力線の相互作用が生じない程度の距離を確保するための長さとし（好ましくは距離４ｃｍ以上）、左右のスペーサーについては、中心体２４が外筒２２の収納部２２ｂに収まる長さになるように調節される。
【００６９】
これによって、左右の内磁石部２６、２７が所定の位置に固定される。この場合において、左右の内磁石部２６、２７を構成する左右の内磁石２６ａ、２７ａの極性は、異極となるよう配置されているが、同一極となってもよい。左右の内磁石２６ａ、２７ａ同士の磁力線が相互作用を生じないよう中央のスペーサー２８によって一定の距離が確保されているからである。
【００７０】
左右のキャップ３１、３２には、後述する左右の押さえ４０、４１の中心体２４を固定する孔３７ａと組み合う形状の突起３１ａある。該突起３１ａと孔３７ａ、３８ａとが組み合わされ、左右の押さえ４０、４１及び左右の押さえ４２、４３によって中心体２４が外筒２２の中心に固定されこととなる。
【００７１】
なお、上述の中心体２４の積層方向における左右のキャップ部を除いた長が、外筒２２の収納部２２ｆの通水方向に対する全長である収納部の長さ２２ｅと同一である。
【００７２】
図８は、内筒３３が外筒２２の内部で積層されたときの斜視図である。内筒３３は、中央のスペーサー３７の両側に左外磁石部３４の内磁性体３４ｃと右外磁石部３５の内磁性体３５ｂが配置され、続いて、該内磁性体３４ｃ、３５ｂの両側に、順次、左外磁石３４ａと右外磁石３５ａ、左外磁石部３４の外磁性体３４ｂと右外磁石武３５の外磁性体３５ｃ、左右のスペーサー３８、３９が配置されてなる。なお、記号Ｎ、Ｓは左右の外磁石部３４、３５を構成する左右の外磁石３４ａ、３５ａの極性であるＮ極、Ｓ極を意味する。
【００７３】
なお、左右の外磁石３４ａ、３５ａ、左外磁石部３４の内外磁性体３４ｃ、３５ｂと右外磁石部３５の内外磁性体３５ｂ、３５ｂの形状・素材は実施例１記載の内容と同様である。中央のスペーサー３７及び左右のスペーサー３８、３９の素材についても同様である。
【００７４】
中央のスペーサー３７及び左右のスペーサー３８、３９の長さ以外の形状は特に実施例１に記載された内容で変わるところがない。中央のスペーサー３７の長さは、中心体２４の中央のスペーサー２８と、左右のスペーサー３８、３９の長さは、内筒３３を外筒２２の収納部２２ｂの長さ２２ｅと同じになるよう調整されている。
【００７５】
これにより、左右の外磁石部３４、３５が所定の位置に固定される。この場合において、左右の外磁石部３４、３５を構成する左右の外磁石３４ａ、３５ａの極性は、異極となるよう配置されているが、同一極となってもよい。前記、左右の内磁石２６ａ、２７ａとの関係と同様の理由である。なお、中心体２４を構成する左右の内磁石２６ａ、２７ａと対向する左右の外磁石の極性は、各々異極とすることを要する。
【００７６】
内筒３３の両端に位置する左右のスペーサー３８、３９の外側である接触面３８ａが左右の押さえ４０、４１及び左右の押さえ４２、４３によって、内筒３３を外筒２２の収納部２２ｂに内筒３３の外周部が外筒２２の内壁に接触した状態で固定される。最終的に左右の外磁石部３４、３５及び左右の内磁石部３６、２７が通水路を挟み対峙した位置に配置されることとなる。
【００７７】
上記配置により構成される内筒３３の積層方向における長さは、外筒２２の収納部２２ｂの通水方向に対する全長である収納部の長さ２２ｅと同一である。
【００７８】
実施例２の磁気活水器２１において、磁石部３６ａ、３６ｂを２組用いているが、被処理水の流量により、更に内磁石部を組み込むことは可能である。この場合において、磁石部の磁力線が相互作用を生じない一定の距離が確保されていることが、効率的な磁気処理効果を得るために特に重要である。従って、磁石部２６、２７を２以上繰り返して磁気活水器を構成する場合には、左右のスペーサー２９、２８の長さを適宜調節して、外筒２２の収納部２２ｆｂに納めればよい。
【００７９】
図９は、本発明に係る磁気活水器２１の図６に示した一点破線矢印Ｄの位置にける断面図である。以下、外筒２２の内部に磁気処理部２３が左押さえ４０によって、固定されている様子を説明する。
【００８０】
左押さえ４０は、外筒２２の内部に落ち込んだストッパー面２２ｄの位置で外筒２２の内部に止まる。このとき該押さえ４０の孔４０ｃに、中心体２４を構成する左キャップ３１の突起３１ａが組み合い、左押さえ４０と左のアダプター４２と供に中心体２４を外筒２２の収納部２２ｂに固定する。これと同時に左押さえ４０と内筒３３の左スペーサー３８の接触面３８ａと接触し、内筒３３を外筒２２の収納部２２ｂに固定する。
【００８１】
その結果、内磁石２６ａ、外磁石３４ａが通水路４６を挟み、磁石の極性を異極となるよう対向した位置に配置され、左内磁石２６ａ及び左外磁石３３ａの外側に配置された外磁性２６ｂ、３３ｂの先端間に磁力線が集中する。従って、被処理水が磁気活水器中の通水路４６を通過することで、効率的に磁気処理を受け、磁気処理水となる。
【００８２】
左右の外磁石３４ａ、３５の中心孔径より、左右の内磁石２６ａ、２７ａの直径は小さく、また、左右の外磁石部３４、３５を構成する内外磁性体３４ｃ、３４ｂ、３５ｂ、３５ｃの中心孔径より左右の内磁石部２６、２７を構成する内外磁性体２６ｃ、２６ｂ、２７ｂ、２７ｃの直径は小さい。
【００８３】
図１０は、左右押さえの形状例を示した平面図である。図１０（ａ）は、実施例１で使用した左右押さえ１４（１５）である。一般に、家庭用飲料水等の配水管内部の水圧が高くならない場合は、本実施例１で用いた左右押さえ１４、１５のような簡易な形状でも充分対応できる。
【００８４】
図１０（ｂ）、図１０（ｃ）は、被処理水の流水速度が速い場合、外筒径が大きい場合等に、特に有効な左右押さえ４０、４１、４０ａ、４１ｂの形状例である。図１０（ｂ）は実施例２で使用した左右押さえ４０（４１）である。被処理水の流水速度が速いと磁気活水器内の水圧は高くなり、その水圧により左右の押さえが変形する。その結果、内磁石、外磁石の位置が所定の位置からずれることとなり、本来の磁気処理効果が得られなくなってしまう。従って、左右の押さえには、水圧に十分耐えうる図１０（ｂ）、（ｃ）のような構造が必要である。
図１０（ｄ）は、網目構造をした左右の押さえ４０ｂ（４１ｂ）である。このような網目構造であれば、磁気処理部２３を構成する各部材が破損したとしても、該破損物が処理水と伴に流出することを防止することができる。よって、飲料用水に本発明に係る磁気活水器を用いたとしても安心して使用することができる。
【００８５】
また、本発明に係る左右の押さえに用いる素材は、被処理水の水圧、水による腐食に耐え、被処理水中に有毒物質が溶出されることがない素材であればよい。
【００８６】
図１１は、左右の押さえと中心体を構成するキャップとの結合部の断面図である。
【００８７】
図１２は、実施例２の磁気処理部２３の一部である磁気活性化部の３６の拡大図である。矢印Ｅは本発明に係る磁気活水器２１を配水管に接続装着して使用したときの被処理水の通水方向を示している。記号Ｎ、Ｓは内磁石部２６、２７及び外磁石部３４、３５を構成する磁石の極性であるＮ極、Ｓ極を意味する。矢印Ｆは、左右の内磁石２６ａ、２７ａ及び左右の外磁石３４ａ、３５ａの両側に配置された左右の内磁石部２６、２７の内外磁性体２６ｃ、２６ｂ、２７ｂ、２７ｃ及び左右の外磁石部の３４、３５の内外磁性体３４ｃ、３４ｂ、３５ｂ、３５ｃの先端間に集中している磁力線と、その磁力線の方向を意味する。
【００８８】
また、通水路４６の平行方向に積層される磁石部３６ａ、３６ｂは、中央のスペーサー２８、３７により一定の間隔を隔てて隣り合う。これら磁石部３６ａ、３６ｂは左右のスペーサー２９、３０及び左右のスペーサー３８、３９により所定の位置に保持される。
【００８９】
左右の内磁石部２６、２７及び左右の外磁石部３４、３５においては、磁石より、磁石の左右に配置された内外磁性体２６ｃ、２６ｂ、２７ｂ、２７ｃ、３４ｃ、３４ｂ、３５ｂ、３５ｃが通水路４６に突出した構造である望ましい。磁力線と磁性体との間の相互作用によって、磁力線Fが磁性体の通水路に突出した位置に集中するためである。
【００９０】
磁気処理効果は、磁石の磁力線密度（ガウス）、または磁力線間を通過する被処理水の通過速度により上げることができる。従って、本発明に係る磁気活水器においては、磁性体先端に磁力線を集中させ、その距離を近づけることで、磁気処理効果を上げた。その例えば、配水管に本発明に係る磁気活水器２１を接続装着する場合においては、内磁石部２６、２７を構成する内外の磁性体２６ｃ、２６ｂ、２７ｂ、２７ｃの先端から外磁石部３４、３５を構成する内外の磁性体３３ｂ、３３ｃの先端までの距離は、４ｍｍ〜８ｍｍ、さらに望ましくは４ｍｍから６ｍｍであるとき、効率的な磁気処理効果が得られた。
【実施例３】
【００９１】
図１３〜１５は、実施例３の中心体５４、内筒６３、及び磁石部６６の配置を示した斜視図である。なお、実施例３に使用したその他の部材である外筒２２、左右押さえ４０、４１、アダプター左右４２、４３は実施例２記載の部材と同一であるため記載を省略する。
【００９２】
実施例３の磁気活水器は、実施例２の磁気活水器２１と比較して、左右の内磁石部２６、左右の外磁石部３４、３５を構成する内外磁石２６ａ、２７ａ、３４ａ、３５ａがリング状磁石でなく、円柱状磁石５６ａ、５７ａ、６４ａ、６５ａを複数使用するところが相違する。特に、被処理水が多量であるマンションの元配水管、工場用水配管に有効である。
【００９３】
現在、最も強力な磁力線を放射する磁石は、ネオジュウム磁石である。しかし、ネオジュウム磁石は高価であることから、例えば１００ｍｍの配水管径にネオジウム磁石をリング状で使用した場合、最終的な磁気活水器はとても高額なものになってしまう。
【００９４】
そこで、実施例１、２と同様の磁気処理効果を発揮する構造として、既存規格のネオジュウム磁石を用いて図１３〜１６に示す中心体５４、内筒６３を用いて磁気活水器構成した。
【００９５】
図１３は実施例３の磁気活水器を構成する中心体５４の斜視図である。中心体５４は、点線で示した中心材５５に筒状の中央スペーサー５８を挿入し、続いて、順次、左右の内磁石部５６、５７、左右のスペーサー５９、６０、左右のキャップ６１、６２を挿入してなる。ここで、左右の内磁石部５６、５７は、後述（図１６）する内磁石５６ａ、５７ａの配置とし、その両側に内外磁性体５６ｃ、５６ｂ、５７ｂ、５７ｃを配置してなる。中央及び左右のスペーサー５８、５９、６０の機能は、実施例２に記載した内容と同一である。中心材５５と左右のキャップ６１、６２は接着材によりシールされている。
【００９６】
これにより組み立てられる中心体５４は左右のキャップに設けられた突起６１ａと図１０（ｂ）で示した左右押さえ４０、４１により外筒２２の内部の所定位置に固定されることとなる。記号Ｎ、Ｓは磁石の極性を意味する。
【００９７】
図１４は実施例３の磁気活水器を構成する内筒６３の斜視図である。内筒６３は、左右外磁石部６４、６５の間に筒状のスペーサー６７が配置され、前記左右の外磁石部６４、６５の両側に左右のスペーサー６８、６９が配置されてなる。ここで、左右の外磁石部６４、６５は、後述（図１６）する外磁石６４ａ、６５ａの配置とし、その両側に内外磁性体６４ｃ、６４ｂ、６５ｂ、６５ｃを配置してなる。中央及び左右のスペーサー５８、５９、６０の機能は、実施例２に記載した内容と同一である。
【００９８】
これにより組み立てられる内筒５３は外筒２２の内部に挿入され、中心体２４と供に、左右の押さえ４０、４１で外筒２２の内部の所定位置で固定されることとなる。記号Ｎ、Ｓは磁石の極性を意味する。
【００９９】
図１５は、実施例３の磁気活水器を構成する内磁石部５６と外磁石部６４よりなる左磁石部６６を示す斜視図である。最終的組み立てられた実施例３の磁活水器内での磁石部６６を構成する各部材の配置を示している。
【０１００】
ここで、使用する磁石は、ネオジウム磁石である。現在最も磁力線が強いをいわれており、平方センチメートル当たり１３，０００ガウスの磁力密度を有する。実施例３で使用した磁石は円柱状であるが、例えば平面部などの磁石の両端に左右の磁性体と接触できる構造を有する形状であれば、特に円柱状に限定されるものではない。また、内磁石部５６、外磁石部６４に用いられる磁石は同一のものでよい。
【０１０１】
内磁石部５６外磁石部６４各々４本の円柱状ネオジュウム磁石を配置した構造になっている。内磁石部５６及び外磁石部６４配置される磁石の数は、装着される配水管径と磁石形状により異なる。実施例３の磁石部６６の構造を採用する場合、隣り合う磁石間に一定の距離を保つ事が重要である。即ち、磁石間の距離が近すぎると、隣り合う磁石間で磁力線が相互作用をお越し、流水に対して磁力線が直角に作用しなくなるためである。
【０１０２】
例えば、隣り合う磁石間の距離を磁力線が相互作用を起こさない範囲にあるために、直径数ミリ、高さ１０ｍｍ程度のネオジュウム磁石である場合は、磁力線が相互作用を起こす距離は約３ｃｍ以下である。従って磁気活水器内での磁石間の距離は３ｃｍより離れていることが効率的な磁気処理に望ましい。このことから、マンション用配水管（内径１５０ｍｍ）に装着される実施例３の磁石数は各々４本とした。
【０１０３】
前記磁石部６６が上述の配置よりなることから、矢印で示した通水路４６の間に磁力線が集中することとなる。従って、この間を通過する被処理水は効率的に磁気処理を受ける。前記内磁石と外磁石の左右に配置されている内外磁性体距の距離は、４〜８ｍｍ、望ましくは４〜６ｍｍである。これは、上述の如く磁力密度が、磁石間の距離の２乗に反比例して減少するからである。
【０１０４】
ここで、配置される磁石の極性は外磁石部内、内磁石部内で同一の極を同一の方向で配置することを要する。また、外磁石部と内磁石部の磁石の極性方向を異極として配置する。通水路４６に突出した磁性体の先端に磁力線が集中するためである。
【０１０５】
実施例３において、前記磁石部は２組使用しているが、当然１組でも本発明の目的である磁気処理は可能である。特に２以上の磁石部を使用すること、被処理水が多量である場合、より磁気処理効果を得たい場合等に有効である。
【０１０６】
２以上の磁石部を採用する場合、磁石部間の距離、即ち、磁石部を構成する左右外磁石部間及び、左右内磁石部間の距離は、磁力線の相互作用が関与しない距離を保てば、磁石の極性は特に限定しない。この距離は、中心体５５、及び内筒に使用する中央即ち、左右の磁石部６６の間にあるスペーサーにより調整させる。
【０１０７】
外磁石部の磁性体の外周が外筒内に接触し、中心体の内径が中心材の外周部に接触して、矢印で示した通水路４６の距離を一定に保つ事ができる形状を有すれば、特に磁性体形状は、図１５等に示したリング状である必要はない。
【０１０８】
実施例３における上述の磁石部６６でも、実施例１、２と同様の磁気処理効果を有する。さらに、多量の被処理水にも安価な磁気活水器を提供することができる。
【０１０９】
図１６は本発明に係る磁気活水器に使用した、磁石の形状を示す斜視図である。図１６（ａ）は実施例１、２で使用したリング状内磁石である。図１６（ｂ）は実施例１、２で使用したリング状外磁石である。図１６（ｃ）は実施例３で使用した円柱状磁石である。いずれの磁石もネオジウム磁石等一般に流通している磁石を使用することができる。
【０１１０】
次に、実施例３に係る磁気活水器の組み立て方法について説明する。予め、中心体５４を組み立てておく。中心体の組み立て方法は、中心材に中央スペーサーを挿入し、また、所定の位置に内磁石を貼り付けた磁性体よりなる左右の内磁石部を中央スペーサーの左右に挿入し、続いて、その左右に筒状スペーサーを挿入し、最後に中心材の左右の端にキャップはめ込み、接着材で接着固定する。
【０１１１】
外筒内に図１４で示した部材を順次積層する。これにより外筒内に内筒が組み立てられる。なお、内磁石部と同様所定の位置に外磁石を貼り付けた磁性体よりなる左右の外磁石部を予め用意しておく。
【０１１２】
続いて、予め用意しておいた中心体５４を外筒内に積層された内筒内に挿入し、中心体の両端にある左右のキャップの突起と左右の押さえにある孔とを組合せる。その結果、左右の押さえが外筒のストッパー面に係ることにより、中心体は、左右の押さえにある孔で、内筒は左右の押さえの固定面で外筒内の所定の位置に固定される。最後に外筒の両端から、左右のアダプターを組み込み、外筒の両端の面とアダプターの外筒から突出した部分を溶接する。
【０１１３】
これにより、内部構造が、所定の位置に固定され、効率的な磁気活水器を容易に組み立てることができることとなる。また、実施例２、３の構造をとることで、予め磁気活水器を作ることができ、磁気活水器を装着する場所で組み立てる必要がないことから、実施例１に係る磁気活水器と比較して、磁気活水器の装着作業も軽減される。さらに磁気活水器を配水管に装着前に、一定の水圧を掛けることで、水漏れ検査もできることから有効な形状である。
【図面の簡単な説明】
【０１１４】
【図１】本発明である磁気活水器（実施例１）の斜視図である。
【図２】本発明である磁気活水器のＡ−Ａ断面図である。
【図３】本発明である磁気活水器の磁気活性化部の拡大断面図である。
【図４】本発明である磁気活水器（実施例２）の斜視図である。
【図５】本発明である磁気活水器を構成する外筒とアダプターの透視斜視図である。
【図６】本発明である磁気活水器のＢ−Ｂ断面図である。
【図７】本発明である磁気活水器を構成する中心体（実施例２）の斜視図である。
【図８】本発明である磁気活水器を構成する内筒（実施例２）の斜視図である。
【図９】本発明である磁気活水器（実施例２）の破線矢印Ｃの位置における断面図である。
【図１０】本発明である磁気活水器を構成する押さえの平面図である。
【図１１】本発明である磁気活水器を構成する押さえの断面図である。
【図１２】本発明である磁気活水器の磁気活性化部の拡大断面図である。
【図１３】本発明である磁気活水器を構成する中心体（実施例３）の斜視図である。
【図１４】本発明である磁気活水器を構成する内筒（実施例３）の斜視図である。
【図１５】本発明である磁気活水器を構成する磁石部（実施例３）の斜視図である。
【図１６】本発明である磁気活水器を構成する磁石の斜視図である。
【符号の説明】
【０１１５】
１      磁気活水器
２      外筒
２ａ    磁気処理部の収納部
２ｂ    接続部
２ｃ    接着面
２ｅ    ストッパー面
３      磁気処理部
４      中心体
５      中心材
６      内磁石部
６ａ    内磁石
６ｂ    左磁性体
６ｃ    右磁性体
６ｄ    内磁石の外周部
６ｅ    磁性体の外周部
７      左キャップ
７ａ    突起
８      右キャップ
８ａ    突起
９      内筒
１０    外磁石部
１０ａ  外磁石
１０ｂ  左磁性体
１０ｃ  右磁性体
１０ｄ  外磁石の外周部
１０ｅ  磁性体の外周部
１１    磁気活性化部
１１ａ  磁石部
１２    左スペーサー
１３    右スペーサー
１４    左押さえ
１４ａ  孔
１５    右押さえ
１６    左配水管
１６ａ  接着面
１７    右配水管
１８    通水路
２１    磁気活水器
２２    外筒
２２ａ  溶接面
２２ｂ  磁気処理部の収納部
２２ｃ  アダプターの組み込み部
２２ｄ  ストッパー面
２２ｅ  収納部の長さ
２２ｆ  溶接部
２３    磁気処理部
２４    中心体
２５    中心材
２６    左内磁石部
２６ａ  左内磁石部の内磁石
２６ｂ  左内磁石部の外磁性体
２６ｃ  左内磁石部の内磁性体
２７    右内磁石部
２７ａ  右内磁石部の内磁石
２７ｂ  右内磁石部の内磁性体
２７ｃ  右内磁石部の外磁性体
２８    中央のスペーサー
２９    左スペーサー
３０    右スペーサー
３１    左キャップ
３１ａ  突起
３１ｂ  中心材の挿入部
３１ｃ  左右キャップ
３１ｄ  左右キャップ
３１ｅ  左右キャップ
３１ｆ  左右キャップ
３１ｇ  凹部
３１ｈ  凹部
３１ｉ  凸部
３２    右キャップ
３３    内筒
３４    左外磁石部
３４ａ  左外磁石部の外磁石
３４ｂ  左外磁石部の外磁性体
３４ｃ  左外磁石部の内磁性体
３５    右外磁石部
３５ａ  右外磁石部の外磁石
３５ｂ  右外磁石部の内磁性体
３５ｃ  右外磁石部の外磁性体
３６    磁気活性化部
３６ａ  左磁石部
３６ｂ  右磁石部
３７    中央のスペーサー
３８    左スペーサー
３８ａ  接触面
３９    右スペーサー
４０    左押さえ
４０ａ  左押さえ
４０ｂ  左押さえ
４０ｃ  孔
４０ｄ  左右押さえ
４０ｅ  左右押さえ
４０ｆ  左右押さえ
４０ｇ  左右押さえ
４０ｈ  凸部
４０ｉ  凸部
４０ｊ  固定部
４０ｋ  凸部
４０ｌ  固定部
４０ｍ  外筒との接触部
４０ｎ  内筒の押さえ面
４０ｏ  配水管又はアダプターとの接触面
４１    右押さえ
４１ａ  右押さえ
４１ｂ  右押さえ
４２    左アダプター
４２ａ  平面部
４２ｂ  ネジ山
４２ｃ  接続面
４２ｄ  溶接部
４２ｅ  外筒への組み込み部
４２ｆ  通水孔
４３    右アダプター
４３ａ  平面部
４３ｂ  通水用のスペース
４３ｃ  押さえ面
４４    左配水管
４４ａ  ネジ山
４５    右配水管
４６    通水路
５４    中心体
５５    中心材
５６    左内磁石部
５６ａ  左内磁石部の内磁石
５６ｂ  左内磁石部の外磁性体
５６ｃ  左内磁石部の内磁性体
５７    右内磁石部
５７ａ  右内磁石部の内磁石
５７ｂ  右内磁石部の内磁性体
５７ｃ  右内磁石部の外磁性体
５８    スペーサー
５９    左スペーサー
６０    右スペーサー
６１    左キャップ
６１ａ  突起
６１ｂ  中心材の挿入部
６２    右キャップ
６３    内筒
６４    左外磁石部
６４ａ  左外磁石部の外磁石
６４ｂ  左外磁石部の外磁性体
６４ｃ  左外磁石部の内磁性体
６５    右外磁石部
６５ａ  右外磁石部の外磁石
６５ｂ  右外磁石部の内磁性体
６５ｃ  右外磁石部の外磁性体
６６    磁石部
６７    中央のスペーサー
６８    左スペーサー
６９    右スペーサー
７０    磁性体との接触面
７１    内周部
７２    外周部
７３    内周部
７４    外周部
【図１】
2006192394.tif 000003
【図２】
2006192394.tif 000004
【図３】
2006192394.tif 000005
【図４】
2006192394.tif 000006
【図５】
2006192394.tif 000007
【図６】
2006192394.tif 000008
【図７】
2006192394.tif 000009
【図８】
2006192394.tif 000010
【図９】
2006192394.tif 000011
【図１０】
2006192394.tif 000012
【図１１】
2006192394.tif 000013
【図１２】
2006192394.tif 000014
【図１３】
2006192394.tif 000015
【図１４】
2006192394.tif 000016
【図１５】
2006192394.tif 000017
【図１６】
2006192394.tif 000018